(57)【要約】      （修正有）【課題】養液栽培用培地を用いた固形培地耕を採用した圃場における潅水状態を的確に把握するための潅水モニタリングシステムを提供する。【解決手段】栽培ハウス１内に設置した栽培ベンチ１１に載置した多数の養液栽培用培地１２に対する潅水状態をモニタリングするためのシステムであって、養液栽培用培地１２のそれぞれに対して給液用配管１３から分岐させた潅水チューブを同一本数用いて潅水しつつ誘引栽培で栽培する圃場の西区画中央付近の養液栽培用培地と栽培ベンチとの間に培地重量測定装置２０を設置して測定した培地重量を時刻情報と共に記憶しておき、潅水制御盤に設定された潅水条件による給液量累積値の変化とを時系列に沿って対応付けたグラフを生成してモニタに表示する。【選択図】図１
2018014902.tif 000002
【特許請求の範囲】
【請求項１】
栽培ハウス内に設置した栽培ベンチに載置した多数の養液栽培用培地を用いた固形培地耕の実施に当たって、潅水制御装置に設定した潅水条件に基づいて潅水を実行する圃場における潅水状態をモニタリングするためのシステムであって、以下の構成を備えていることを特徴とする潅水モニタリングシステム。
（１Ａ）前記栽培ベンチに載置された多数の養液栽培用培地のそれぞれに対して、当該栽培ベンチに沿って配置した給液用配管から分岐させた潅水チューブを同一本数用いて潅水を実行する様に構成されていること。
（１Ｂ）前記圃場は、前記養液栽培用培地に植えた植物を誘引栽培によって栽培する圃場として構成されていること。
（１Ｃ）前記多数の養液栽培用培地の内の一部の養液栽培用培地と前記栽培ベンチとの間に培地重量測定装置を設置し、該培地重量測定装置によって測定した培地重量を時刻情報と共に記憶する培地重量記憶手段を備えていること。
（１Ｄ）前記培地重量記憶手段によって時刻情報と共に記憶した培地重量の変化を表したグラフを生成してモニタに表示するグラフ表示手段を備えていること。
【請求項２】
さらに、以下の構成をも備えたことを特徴とする請求項１に記載の潅水モニタリングシステム。
（１Ｅ）前記グラフ表示手段は、前記培地重量の変化を時系列に沿ってグラフ表示する際に、前記潅水制御装置に設定された潅水条件による給液量累積値の変化をもあわせて表示する手段として構成されていること。
【請求項３】
さらに、以下の構成をも備えたことを特徴とする請求項１又は２に記載の潅水モニタリングシステム。
（２）前記培地重量測定装置は、前記圃場内においてモニタリング対象となる多数の養液栽培用培地の内で設置位置が中央付近となる一部の養液栽培用培地の重量を測定する様に設置されていること。
【請求項４】
さらに、以下の構成をも備えたことを特徴とする請求項１〜３のいずれかに記載の潅水モニタリングシステム。
（３）前記培地重量測定装置は、前記圃場内においてモニタリング対象となる多数の養液栽培用培地の内で設置位置が中央付近に隣り合って設置された複数個の養液栽培用培地を載置する載置部と、該載置部の両端に設置された複数のロードセルとを備え、該複数のロードセルによる測定結果から培地重量を算出するための情報を生成する手段として構成されていること。
【請求項５】
さらに、以下の構成をも備えたことを特徴とする請求項４に記載の潅水モニタリングシステム。
（４Ａ）前記培地重量測定装置は、ベース枠と、該ベース枠の上方に養液栽培用培地の載置面を構成する様に支持される載置部とを備えていること。
（４Ｂ）前記載置部の両端から外に向かって張り出す様に形成された上側水平部と、前記ベース枠との間に、前記ロードセルを下面一方の端を前記ベース枠に対して固定し、上面他方の端を前記上側水平部に対して固定したこと。
【請求項６】
さらに、以下の構成をも備えたことを特徴とする請求項１〜５のいずれかに記載の潅水モニタリングシステム。
（５Ａ）前記培地重量記憶手段を、過去の履歴をも記憶しておくことができる手段として構成すること。
（５Ｂ）前記グラフ表示手段が、履歴表示の指令を受け付ける履歴表示指令受付手段と、該履歴表示指令受付手段が履歴表示の指令を受け付けた場合は、前記培地重量記憶手段が記憶している過去の履歴に基づいて複数の日にわたる履歴グラフを生成して前記モニタに表示する履歴グラフ表示手段とを備えていること。
【請求項７】
さらに、以下の構成をも備えたことを特徴とする請求項１〜６のいずれかに記載の潅水モニタリングシステム。
（６）日射センサを備え、該日射センサによって測定した日射量を時刻情報と共に記憶する日射量記憶手段を備えると共に、前記グラフ表示手段が、前記培地重量の変化を時系列に沿ってグラフ表示する際に、前記日射量記憶手段に時刻情報と共に記憶した日射量の変化をもあわせて表示する手段として構成されていること。
【請求項８】
さらに、以下の構成をも備えたことを特徴とする請求項１〜７のいずれかに記載の潅水モニタリングシステム。
（７）温度センサを備え、該温度センサによって測定した室温を時刻情報と共に記憶する室温記憶手段を備えると共に、前記グラフ表示手段が、前記培地重量の変化を時系列に沿ってグラフ表示する際に、前記室温記憶手段に時刻情報と共に記憶した室温の変化をもあわせて表示する手段として構成されていること。
【請求項９】
ベース枠と、該ベース枠の上方に養液栽培用培地の載置面を構成する様に支持される載置部とを備えたものであって、以下の構成を備えていることを特徴とする培地重量測定装置。
（１１Ａ）前記載置部は、長手方向の中心部から離れる方向に向かって下り傾斜となる屋根状の傾斜部と、該傾斜部の下端から垂直に伸びる垂直部と、該垂直部の下端から外に向かって広がる水平部と、該水平部の端部から上方へ立ち上げられた外側垂直部とを備え、前記垂直部、水平部、及び外側垂直部によって形成される排液樋を前記載置部の全長にわたって備えていること。
（１１Ｂ）前記載置部の両端に外に張り出す様に形成された上側水平部と、前記ベース枠との間に、前記ロードセルを下面一方の端を前記ベース枠に対して固定し、上面他方の端を前記上側水平部に対して固定したこと。
【発明の詳細な説明】
【技術分野】
【０００１】
本発明は、水耕栽培、特に固形培地耕における潅水モニタリングシステム及び培地重量測定装置に関するものである。
【背景技術】
【０００２】
固形培地耕は、木質チップ，椰子殻，ロックウールなどの培地素材を単独又はさらに培養土を加えるなどして適宜割合で混合してスラブ状とした養液栽培用培地をプラスチックフィルム等の袋体に収納したり、発泡スチロール製容器に収納したものを圃場内に多数設置し、各養液栽培用培地の上面に苗ポットを植え付け、苗ポットの部分に点滴チューブを設置して潅水を行い、余分の水分は袋体の側面や底面を切り裂いた切れ目や、発泡スチロール製容器に設けた穴を介して流出させるといった栽培方法である。固形培地耕は、土壌病害虫による青枯れ病対策、万一の病害被害の拡大防止などに有効であると共に、コスト面でも注目されている。
【０００３】
従来より、こうした養液栽培用培地を用いた栽培方法を採用する際に潅水制御を適切に行うために水分センサによる検出結果を潅水制御にフィードバックするシステムが提案されている（特許文献１〜３等）。
【先行技術文献】
【特許文献】
【０００４】
【特許文献１】特開平５−３７３１（要約、図１）
【特許文献２】特開２００２−２８１８４２（要約、図１）
【特許文献３】特開２００６−１９７８７１（要約、図３）
【発明の概要】
【発明が解決しようとする課題】
【０００５】
特許文献１等は、圃場内の多数の養液栽培用培地の内のいずれかに対して設置した水分センサの検出結果をフィードバックして圃場全体を管理しようとするものである。培地を用いない養液栽培法であれば、養液の水位や成分濃度は圃場全体で一定となる。しかし、養液栽培用培地は、一つの袋体や容器の中であっても、収容されている培地の性質などにより、水分量の分布にはバラツキが生じる。このため、特許文献１等の技術をより的確なものとするためには、水分センサの設置箇所の選定を厳密に行ったり、多数の水分センサを用いたりする必要がある。
【０００６】
また、特許文献１等は潅水を自動制御しようとするものであるが、植物は一日の中でも成長のメカニズムが複雑に変化すると共に、地域的・季節的に日照量や気温に相違があり、さらには、栽培品種・出荷時期・収穫量と品質のバランスなど、各農家がそれぞれ独自のノウハウをもって栽培を実施する上で、完全に自動化するよりも圃場の状況を農家自身が的確に把握し、例えば平年とは異なる気象条件となった場合の対処等を的確に行うことで高品質の作物を栽培したいという要望が高い。
【０００７】
そこで、本発明は、養液栽培用培地を用いた固形培地耕を採用した圃場における潅水状態を的確に把握することのできる潅水モニタリングシステムと、そのために有効な培地重量測定装置とを提供することを目的とする。
【課題を解決するための手段】
【０００８】
上記目的を達成するためになされた本発明の潅水モニタリングシステムは、栽培ハウス内に設置した栽培ベンチに載置した多数の養液栽培用培地を用いた固形培地耕の実施に当たって、潅水制御装置に設定した潅水条件に基づいて潅水を実行する圃場における潅水状態をモニタリングするためのシステムであって、以下の構成を備えていることを特徴とする。
（１Ａ）前記栽培ベンチに載置された多数の養液栽培用培地のそれぞれに対して、当該栽培ベンチに沿って配置した給液用配管から分岐させた潅水チューブを同一本数用いて潅水を実行する様に構成されていること。
（１Ｂ）前記圃場は、前記養液栽培用培地に植えた植物を誘引栽培によって栽培する圃場として構成されていること。
（１Ｃ）前記多数の養液栽培用培地の内の一部の養液栽培用培地と前記栽培ベンチとの間に培地重量測定装置を設置し、該培地重量測定装置によって測定した培地重量を時刻情報と共に記憶する培地重量記憶手段を備えていること。
（１Ｄ）前記培地重量記憶手段によって時刻情報と共に記憶した培地重量の変化を表したグラフを生成してモニタに表示するグラフ表示手段を備えていること。
この場合、さらに、以下の構成をも備えるとよい。
（１Ｅ）前記グラフ表示手段は、前記培地重量の変化を時系列に沿ってグラフ表示する際に、前記潅水制御装置に設定された潅水条件による給液量累積値の変化をもあわせて表示する手段として構成されていること。
【０００９】
本発明の養液栽培用培地を用いた固形培地耕における潅水モニタリングシステムによれば、（１Ａ）の構成を備えることで、栽培ベンチに載置された多数の養液栽培用培地には同一の潅水条件に従った潅水が実行される。また、（１Ｂ）の構成を備えている結果、植物が誘引された後は、各養液栽培用培地の重量変化は、培地が保持している水分量の変化に対応したものとなる。この結果、（１Ｃ）の構成によって一部の養液栽培用培地について測定した重量は、栽培ベンチに載置された多数の養液栽培用培地の潅水状態に対応したものとなるから、（１Ｄ）の構成によってモニタに表示したグラフに表れる培地重量の時間変化は、各養液栽培用培地の保持している水分量の変化を的確に表したものとなる。この水分量の変化は、潅水制御装置に設定した潅水条件を反映したものとなっている。潅水によって累積する給液量の全体量と潅水実行間隔が適切に設定されていれば、潅水開始後速やかに養液栽培用培地の重量は目標としている水分量に到達し、その後当該水分量を維持した状態のグラフとなる。一方、潅水条件の設定が不適切である場合には、養液栽培用培地の重量が所望の重量になかなか到達できなかったり、あるいは、大幅に不足するといった様子がグラフに表れる。このとき、（１Ｅ）の構成をも備える潅水モニタリングシステムでは、給液量累積値の変化があわせて表示される結果、培地重量が意図した状態になっていない場合は、潅水条件（潅水開始時刻、潅水実行間隔、１回の給液量の設定、潅水実行回数、潅水終了時刻など）の設定のどこに問題があるかを視覚的に把握することができる。この結果、本発明の潅水モニタリングシステムによれば、最適な潅水条件の設定へと潅水制御装置側の設定を変更する際に有効な情報を与えることができる。
【００１０】
ここで、本発明の潅水モニタリングシステムは、さらに、以下の構成をも備えるとよい。
（２）前記培地重量測定装置は、前記圃場内においてモニタリング対象となる多数の養液栽培用培地の内で設置位置が中央付近となる一部の養液栽培用培地の重量を測定する様に設置されていること。
【００１１】
かかる構成をも備えることにより、例えば、ハウスの端の様に換気などの影響を受け易い位置ではない位置の養液栽培用培地の重量を測定し、グラフ表示することとなるから、圃場全体の潅水状態を一部の養液栽培用培地の重量測定で代表させた場合の誤差を少なくすることができる。
【００１２】
また、これら本発明の潅水モニタリングシステムは、さらに、以下の構成をも備えるとよい。
（３）前記培地重量測定装置は、前記圃場内においてモニタリング対象となる多数の養液栽培用培地の内で設置位置が中央付近に隣り合って設置された複数個の養液栽培用培地を載置する載置部と、該載置部の両端に設置された複数のロードセルとを備え、該複数のロードセルによる測定結果から培地重量を算出するための情報を生成する手段として構成されていること。
【００１３】
上に述べた様に、本発明の潅水モニタリングシステムは、多数の養液栽培用培地に対して同一条件による潅水がなされる結果、最低一つの養液栽培用培地の重量を測定するだけでもよい。しかし、複数個の養液栽培用培地、特に中央付近の複数個の養液栽培用培地を測定対象とすることで、より正確な培地重量を測定することができる。
【００１４】
この（３）の構成を備えた潅水モニタリングシステムは、さらに、以下の構成をも備えるとよい。
（４Ａ）前記培地重量測定装置は、ベース枠と、該ベース枠の上方に養液栽培用培地の載置面を構成する様に支持される載置部とを備えていること。
（４Ｂ）前記載置部の両端から外に向かって張り出す様に形成された上側水平部と、前記ベース枠との間に、前記ロードセルを下面一方の端を前記ベース枠に対して固定し、上面他方の端を前記上側水平部に対して固定したこと。
【００１５】
例えば、ロードセルは、載置部の下に設置することもできるが、その場合、重量測定対象の養液栽培用培地が栽培ベンチに対して、ロードセルの高さを加えた高さまで持ち上げられることとなり、安定性が悪くなる。これに対し、ロードセルを載置部の外側に張り出す上側水平部の下に収納することで、高さを抑えることができる。
【００１６】
これら本発明の潅水モニタリングシステムは、さらに、以下の構成をも備えるとよい。
（５Ａ）前記培地重量記憶手段を、過去の履歴をも記憶しておくことができる手段として構成すること。
（５Ｂ）前記グラフ表示手段が、履歴表示の指令を受け付ける履歴表示指令受付手段と、該履歴表示指令受付手段が履歴表示の指令を受け付けた場合は、前記培地重量記憶手段が記憶している過去の履歴に基づいて複数の日にわたる履歴グラフを生成して前記モニタに表示する履歴グラフ表示手段とを備えていること。
【００１７】
かかる構成をも備えた潅水モニタリングシステムによれば、当日の潅水状態だけでなく、前日以前の過去の潅水状態を履歴グラフとしてモニタに表示することができるから、潅水条件の設定の適否の判断や不適切な場合の原因究明に役立つ情報を農場経営者等に与えることができる。
【００１８】
これら本発明の潅水モニタリングシステムは、さらに、以下の（６）又は（７）の少なくともいずれか一方の構成をも備えるとよい。
（６）日射センサを備え、該日射センサによって測定した日射量を時刻情報と共に記憶する日射量記憶手段を備えると共に、前記グラフ表示手段が、前記培地重量の変化を時系列に沿ってグラフ表示する際に、前記日射量記憶手段に時刻情報と共に記憶した日射量の変化をもあわせて表示する手段として構成されていること。
（７）温度センサを備え、該温度センサによって測定した室温を時刻情報と共に記憶する室温記憶手段を備えると共に、前記グラフ表示手段が、前記培地重量の変化を時系列に沿ってグラフ表示する際に、前記室温記憶手段に時刻情報と共に記憶した室温の変化をもあわせて表示する手段として構成されていること。
【００１９】
かかる構成をも備えた潅水モニタリングシステムによれば、グラフ表示された培地重量の変化に問題がある場合の原因が潅水条件の設定が不適切なことによるものであるのか、その日の天候異常によるものであるのかを判断するのに適切な情報を与えることができる。
【００２０】
本発明の潅水モニタリングシステムに適する培地重量測定装置は、ベース枠と、該ベース枠の上方に養液栽培用培地の載置面を構成する様に支持される載置部とを備えたものであって、以下の構成を備えていることを特徴とする。
（１１Ａ）前記載置部は、長手方向の中心部から離れる方向に向かって下り傾斜となる屋根状の傾斜部と、該傾斜部の下端から垂直に伸びる垂直部と、該垂直部の下端から外に向かって広がる水平部と、該水平部の端部から上方へ立ち上げられた外側垂直部とを備え、前記垂直部、水平部、及び外側垂直部によって形成される排液樋を前記載置部の全長にわたって備えていること。
（１１Ｂ）前記載置部の両端に外に張り出す様に形成された上側水平部と、前記ベース枠との間に、前記ロードセルを下面一方の端を前記ベース枠に対して固定し、上面他方の端を前記上側水平部に対して固定したこと。
【００２１】
載置部を長手方向の中心部を頂点とする屋根状に傾斜させることで載置した養液栽培用培地が安定する。そして、養液栽培用培地から流出した排液は、排液樋により載置部の全長方向に誘導することができる。また、ロードセルを載置部の外側で上側水平部とベース枠との間に設置することにより、高さを大きくすることなく収納することができる。
【発明の効果】
【００２２】
本発明によれば、養液栽培用培地を用いた固形培地耕を採用した圃場における潅水状態を的確に把握することができる。
【図面の簡単な説明】
【００２３】
【図１】実施例１における養液栽培用培地を用いた固形培地耕を採用した施設の平面図である。
【図２】実施例１における養液栽培用培地を用いた固形培地耕を採用した施設を示し、（Ａ）は要部の立面図、（Ｂ）はａ−ａ矢視図、（Ｃ）はｂ−ｂ矢視図、（Ｄ）はｃ−ｃ矢視図である。
【図３】実施例１における培地重量測定装置を示し、（Ａ）は正面図、（Ｂ）は側面図、（Ｃ）はロードセルの取り付け状態を示す側面図、（Ｄ）は載置部の側面図である。
【図４】実施例１における潅水モニタリングシステムを示し、（Ａ）は全体の構成を示す模式図、（Ｂ）はモニタ表示状態を例示する斜視図である。
【図５】実施例１における潅水制御装の制御系統を示すブロック図である。
【図６】実施例１において潅水制御盤が実行する潅水制御の内容を示すフローチャートである。
【図７】実施例１においてモニタリングシステムが実行する記憶処理の内容を示し、（Ａ）は培地重量記憶処理のフローチャート、（Ｂ）は日射量記憶処理のフローチャート、（Ｄ）は室温記憶処理のフローチャートである。
【図８】実施例１においてモニタリングシステムが実行するモニタ表示制御（当日）の内容を示すフローチャートである。
【図９】実施例１におけるモニタ表示制御（当日）による表示例を示す説明図である。
【図１０】実施例１においてモニタリングシステムが実行するモニタ表示制御（履歴）の内容を示すフローチャートである。
【図１１】実施例１におけるモニタ表示制御（履歴）による表示例を示す説明図である。
【発明を実施するための形態】
【００２４】
以下、本発明を実施するための形態を、図面に示す具体的な実施例に基づいて説明する。
【実施例１】
【００２５】
実施例１として、図１に示す様に、栽培ハウス１内を東西２区画とし、各区画に２０列の栽培ベンチ１１を設置し、各栽培ベンチ１１に対して３０個前後の養液栽培用培地１２を載置した大型の固形培地耕実施施設においても採用することのできる潅水モニタリングシステムを説明する。
【００２６】
実施例１の栽培設備では、栽培ハウス１に隣接した管理棟２に設置した潅水制御装置１０から、各栽培ベンチ１１へと配置した給液用配管１３を介して各養液栽培用培地１２への給液を行い、養液栽培用培地１２から流出した排液は、ハウスの東西に配置した排液用配管１４を介してハウス外の水路３へと排出している。給液に必要な肥料等は、管理棟２に設置した給液タンク１５から供給する。
【００２７】
本実施例では、全体で１０００個を超える養液栽培用培地１２の内で、西側区画の２０列の栽培ベンチ１１の内で中程に設置されたものの中央部に設置された２個の養液栽培用培地１２について培地重量測定装置２０を設置している。
【００２８】
栽培ハウス１内には、図２（Ａ）に示す様に、栽培ベンチ１１は、発泡スチロール製の載置台１１ａを一列に並べる様にして構成されている。載置台１１ａは、図２（Ｂ）〜（Ｄ）に示す様に、地上から所定高さで一列に並ぶ様に、適宜間隔で設置された支柱１１ｂ，１１ｂ間に掛け渡した横桁１１ｃの上面に長さ方向に掛け渡した支持パイプ１１ｄ，１１ｄの上に前後の脚部底面の溝を嵌り込ませる様にして設置されている。
【００２９】
発泡スチロール製の載置台１１ａは、中央部から前方及び後方のそれぞれに向かって下り傾斜となる屋根状の傾斜面で構成された載置面に、溝底が後方から前方に向かって下り傾斜となる様に凹入させた排出溝を備えており、養液栽培用培地１２から流出する排液を前側に設置した樋１７へと集合させて排出することができる様に構成されている。養液栽培用培地１２から流出した排液は、図２（Ｂ）〜（Ｄ）において点線で示した様な経路を通って樋１７へと集合させられる。この樋１７は各列の栽培ベンチ１１において連続しており、排液は最終的にはハウスの東側と西側に設置した排液用配管１４から水路３へと排出されることになる。なお、前後の脚部の間には、ＣＯ２供給管や加温用の温水パイプなどを設置することができる凹入部１８も備えられている。
【００３０】
本実施例では、図２（Ａ）に示す様に、この様に地面から所定高さとなる様に設置された栽培ベンチ１１に沿う様に給液用配管１３を設置し、圃場全体として図１の平面図に示した様な給液配管系統を備えている。また、一つの載置台１１ａに対して二つとなる様に養液栽培用培地１２，１２が載置されている。なお、図１で二点鎖線で示した箇所には、載置台１１ａの上に培地重量測定装置２０を載置し、その上に養液栽培用培地１２，１２を載置している。
【００３１】
本実施例では、図２（Ａ）に示す様に、養液栽培用培地１２に対して６株ずつ苗を植え付け、ハウス内に設置した誘引ワイヤ５にて、苗から伸びる茎や蔓を誘引して栽培を行う誘引栽培法を採用している。そして、各苗のポット７に対して給液用配管１３から分岐させた潅水チューブ１３ａ，１３ａ，…の先端を差し込む様にして潅水を実施している。給液用配管１３は潅水制御装置１０によって所定時刻になったら所定量の養液が供給され、各潅水チューブ１３ａを介して苗に対する潅水が実行される様になっている。このとき、養液栽培用培地１２が既に十分に給水している場合は、余剰の養液が排液として流出し、樋１７へと排出される。
【００３２】
培地重量測定装置２０は、図２（Ｃ），（Ｄ）に示す様に、発泡スチロール製の載置台１１ａの上面に載置するベース枠２１と、このベース枠２１の上方において載置台１１ａの上面と平行な載置面を構成する様に支持される載置部２２と、ベース枠２１と載置部２２とを連結すると共に重量測定を行うためのロードセル３０を収納するロードセル収納部２３とを備えている。
【００３３】
ベース枠２１は、図３に示す様に、平行に配置された２条のベースパイプ２１ａ，２１ａと、これら２条のベースパイプ２１ａ，２１ａの両端を連結するアングル部材２１ｂ，２１ｂによって形成されている。アングル部材２１ｂ，２１ｂは、ベースパイプ２１ａ，２１ａの両端に端部下壁２１ｃ，２１ｃを形成する方向を向かせる様にして、スペーサ２１ｄを介してベースパイプ２１ａ，２１ａの両端にボルト固定されている。なお、ベースパイプ２１ａ，２１ａは、ステンレス製角パイプで製造されている。
【００３４】
載置部２２は、ステンレス製板材を板金加工して製造され、長手方向の中心部から離れる方向に向かって下り傾斜となる屋根状の傾斜部２２ａ，２２ａと、傾斜部２２ａ，２２ａの下端から垂直に伸びる垂直部２２ｂ，２２ｂと、垂直部２２ｂ，２２ｂの下端から外に向かって広がる水平部２２ｃ，２２ｃと、水平部２２ｃ，２２ｃの端部から上方へ立ち上げられた外側垂直部２２ｄ，２２ｄとを備えている。垂直部２２ｂ，水平部２２ｃ，外側垂直部２２ｄにより、載置部２２の全長にわたる排液樋２２ｅが形成されている。
【００３５】
ロードセル収納部２３は、載置部２２の両端を塞ぐ様に溶接された逆Ｌ型端部壁２３ａと、ロードセル下固定用スペーサ２３ｂと、ロードセル上固定用スペーサ２３ｃとから構成され、ロードセル下固定用スペーサ２３ｂとロードセル上固定用スペーサ２３ｃとの間にロードセル３０をボルト固定することによってベース部２１と載置部２２とを連結する。
【００３６】
ロードセル３０は、図３（Ｃ）に示す様に、下面一方の端をロードセル下固定用スペーサ２３ｂを介してベース枠２１のアングル部材２１ｂにボルト固定されると共に、上面他方の端をロードセル上固定用スペーサ２３ｃを介してロードセル収納部２３の逆Ｌ型端部壁２３ａの水平部に対してボルト固定される。下面と上面を反対側で固定することにより、トーションバーとして機能し、載置部２２に載置された養液栽培用培地１２の重量に対応した歪みを発生させる。この歪みの量を歪みゲージで測定することにより養液栽培用培地の重量測定が可能となっている。ロードセル３０の中央部付近には図２（Ｄ）に示した様な貫通部が形成されており、重量の変化に対して比較的敏感に歪みを変化させ易くされている。
【００３７】
なお、図示右側の逆Ｌ型端部壁２３ａの下部には、排液樋２２ｅへと連通する様に排液パイプ２５が取り付けられている。これにより、図２（Ｃ），（Ｄ）に点線で示した様に、載置部２２に載置された養液栽培用培地１２から流出した排液を樋１７へと排出することができる様になっている。
【００３８】
また、逆Ｌ型端部壁２３ａの水平部には、ロードセル取り付けの際に、Ｌ字状のロードセルカバー２７を一緒に取り付けることによって、ロードセル３０を保護する様にもしている。
【００３９】
培地重量測定装置２０は、ベース部２１、載置部２２、ロードセル収納部２３、及びロードセル３０，３０に加えて、図４（Ａ）に示す様に、和算器３５とアンプ出力器３７とを備えている。和算器３５は、ベース部２１と載置部２２との間に設置して装置の高さを高くしない様にしている。本実施例においては、培地重量測定装置２０の両端に設置されたロードセル３０，３０に装着した歪みゲージの出力信号は和算器３５へと入力され、この和算器３５から出力される信号をアンプ出力器３７へと入力し、このアンプ出力器３７からパーソナルコンピュータ５０へと入力することにより培地重量測定を用いた潅水モニタリングを実施している。
【００４０】
パーソナルコンピュータ５０は、図４（Ｂ）に示す様に、モニタ５１、キーボード５２、及びマウス５３を備える一般的なものである。そして、図４（Ａ）に示す様に、アンプ出力器３７からの信号以外にも、ハウスに設置した日射センサ４１、温度センサ４２、及び潅水制御装置１０が備える潅水制御盤６０からの信号も入力されている。そして、図４（Ｂ）に示す様に、モニタ５１に潅水モニタリンググラフＧＲＦを表示する処理を実行するためのプログラムがインストールされている。
【００４１】
次に、潅水制御装置１０による潅水制御について説明する。まず、潅水制御の全体を司る潅水制御盤６０は、図５に示す様に、時刻を計時する計時部６１と、一日の内で少なくとも日中の時間帯について複数の時間帯に分けて各時間帯毎の給液条件を設定する時間帯毎給液条件設定部の役割を担う記憶部６２と、モニタ６３と、入出力部６４とを備え、給液ユニット７０による養液の供給を実行する。
【００４２】
潅水制御盤６０に備えられた記憶部６２には、光合成が徐々に強まっていく時間帯、光合成を活発に行う時間帯、光合成が徐々に弱まっていく時間帯のそれぞれについて、最適となる給液量での潅水を実行する様に時間帯毎の給液量を設定する。本実施例においては夜間は潅水を行わず、日の出から日没までの間に潅水を行う様に、８つの時間帯が設定可能に構成されている。そして、これら８つに分割された各時間帯に対して、トマトなどの果菜類については１株当たりの給液量を設定することができる。この際、作物の種類、栽培する季節（春作、夏作、秋作、冬作）、その日の天候（晴れ、雨、曇りなど）、作物の成長段階（定植直後、生育強化時期、開花時期、結実時期など）をも考慮して農場経営者の経験を踏まえて任意に設定することができる。
【００４３】
次に、潅水制御盤６０における潅水制御の内容について、図６のフローチャートに基づいて説明する。計時部６１から時間帯１の設定時刻になったことを示す信号を受信したら（Ｓ１０：ＹＥＳ）、記憶部６２の時間帯１に設定されている給液条件に従って給液ユニット７０に対して給液を指令する（Ｓ１５）。
【００４４】
本実施例においては、設定時刻から給液条件を満たす時間に渡って給液ユニット７０の給液ポンプを駆動する。この際、給液ユニット７０は、給液用配管１３への電磁弁を開放する。これによって、給液用配管１３へと所定の肥料濃度に調整された養液が供給され、分岐する潅水チューブ１３ａを介して各苗のポット７へと養液が供給される。
【００４５】
ここで、各苗は、木質チップ、椰子殻、ロックウールなどの培地素材をスラブ状にしたも培地を収納した養液栽培用培地１２に対して植え付けられている。本実施例では、養液栽培用培地１２は、培地素材を幅２０ｃｍ、長さ１００ｃｍ、高さ１０ｃｍのスラブ状にした固形のものをプラスチック製の袋体の中に収納しており、水分率４０％のときに８Ｋｇ、水分率８０％のときに１６Ｋｇになり、水分率１００％のときには２０Ｋｇとなる。保持能力を越えた養液は、袋体の側面及び底面に設けた切り裂き部から流出し、樋１７を介して排液用配管１４へと排出される。
【００４６】
その後、潅水制御盤６０は、時間帯２の設定時刻になったら記憶部６２の時間帯２に設定されている給液条件に従って給液ユニット７０に対して給液を指令し（Ｓ２０，Ｓ２５）、時間帯３の設定時刻になったら記憶部６２の時間帯３に設定されている給液条件に従って給液ユニット７０に対して給液を指令し（Ｓ３０，Ｓ３５）、以下同様の処理を最終の時間帯ＬＡＳＴまで繰り返し実行して一日の処理を終える（Ｓ８０，Ｓ８５）。
【００４７】
次に、パーソナルコンピュータ５０における記憶処理の内容について、図７のフローチャートに基づいて説明する。パーソナルコンピュータ５０は、設定された時間間隔毎にこれらの処理を実行する様に構成したプログラムをインストールされている。
【００４８】
培地重量記憶処理について説明する。図７（Ａ）に示す様に、前回の処理から所定時間が経過したら（Ｓ１１０：ＹＥＳ）、培地重量測定装置２０のアンプ出力器３７から入力される信号を取得する（Ｓ１２０）。そして、この信号から培地重量を算出し（Ｓ１３０）、現在の日時と共に記憶する（Ｓ１４０）。
【００４９】
日射量記憶処理について説明する。図７（Ｂ）に示す様に、前回の処理から所定時間が経過したら（Ｓ２１０：ＹＥＳ）、日射センサ４１から入力される信号を取得する（Ｓ２２０）。そして、この信号から日射量を算出し（Ｓ２３０）、現在の日時と共に記憶する（Ｓ２４０）。
【００５０】
室温記憶処理について説明する。図７（Ｃ）に示す様に、前回の処理から所定時間が経過したら（Ｓ３１０：ＹＥＳ）、温度センサ４２から入力される信号を取得する（Ｓ３２０）。そして、この信号から室温を算出し（Ｓ３３０）、現在の日時と共に記憶する（Ｓ３４０）。
【００５１】
以上の培地重量記憶処理、日射量記憶処理、及び室温記憶処理を所定時間間隔毎に繰り返し実行することにより、一日の中での培地重量、日射量、及び室温の履歴情報が蓄積されていく。
【００５２】
次に、パーソナルコンピュータ５０におけるモニタ表示制御（当日）について、図８のフローチャートに基づいて説明する。パーソナルコンピュータ５０は、開始時刻（例えば、午前０時）から、終了時刻（例えば、午後２４時）までの間、利用者からの特別の指示がなされない限り、当日の潅水状況に関するモニタ表示を実行する様に構成したプログラムをインストールされている。
【００５３】
開始時刻になったら（Ｓ４１０：ＹＥＳ）、潅水制御盤６０に対して当日の潅水条件の返信を要求する（Ｓ４２０）。返信があったら（Ｓ４２２：ＹＥＳ）、当日潅水条件を記憶する（Ｓ４２４）。
【００５４】
そして、上述の記憶処理によって記憶されている当日の培地重量、日射量、及び室温を読み出し（Ｓ４３０）。これらと当日潅水条件とに基づいて、午前０時から現在時刻までの培地重量、日射量、室温及び潅水量（累積値）の変化を示すグラフを生成する（Ｓ４４０）。そして、当該グラフをモニタ５１に表示する（Ｓ４５０）。
【００５５】
終了時刻になるまでは（Ｓ４６０：ＮＯ）、更新時刻が到来する度に（Ｓ４７０：ＹＥＳ）、Ｓ４３０以下の処理を繰り返し実行することにより、培地重量、日射量、室温及び潅水量（累積値）が時々刻々と変化する様子をモニタ５１に表示する。更新時刻には、例えば、培地重量等の記憶と同じ時間間隔を設定しておくとよい。
【００５６】
終了時刻になったら（Ｓ４６０：ＹＥＳ）、当日のグラフを記憶し（Ｓ４８０）、モニタ表示を終了する（Ｓ４９０）。
【００５７】
図９にモニタ表示制御（当日）によって実行される表示例として潅水条件の設定が不適切な場合のグラフＧＦＲ０１と、潅水条件の設定が適切な場合のグラフＧＲＦ０２を示す。
【００５８】
図９（Ａ）に示したグラフＧＲＦ０１は、午前０時から培地重量が徐々に減少し、潅水開始時刻の午前９時に第１回目の潅水が実行されて培地重量が一旦上昇した後に若干減少し、その後、潅水時刻に重量が増加しては減少する状況となっている。このグラフＧＲＦ０１は、潅水条件の設定が適切でない場合の表示例である。農場経営者は、このグラフ表示を見て、潅水が不十分であることを視覚的に知ると共に、あわせて表示されている潅水量、日射量、室温などのグラフと対比することにより、適切な潅水条件にするための潅水制御盤６０に対する潅水条件の設定変更を行うための有用な情報を得ることができる。
【００５９】
図９（Ｂ）に示したグラフＧＲＦ０２は、適切な潅水が行われている場合の表示例である。潅水が適切である結果、培地重量は、潅水開始後に速やかに最適な培地重量へと上昇し、その後は潅水終了時刻までの間、最適な培地重量が維持されている。このグラフＧＲＦ０２により、農場経営者は、現在の潅水条件が適切であることを確認することができる。
【００６０】
次に、パーソナルコンピュータ５０におけるモニタ表示制御（履歴）について、図１０のフローチャートに基づいて説明する。パーソナルコンピュータ５０は、履歴表示の指令が入力されると表示期間を問い合わせ、指定された表示期間についての履歴グラフのモニタ表示を実行する様に構成したプログラムをインストールされている。
【００６１】
このプログラムは、履歴表示の指令がなされると起動され、まず、表示期間の入力を求めるメッセージ画面をモニタ５１に表示する（Ｓ５１０）。そして、表示期間が入力されたら（Ｓ５２０：ＹＥＳ）、表示期間内の各グラフを読み出し（Ｓ５３０）、これらのグラフを時系列に沿って連結する（Ｓ５４０）。そして、この連結によって生成した履歴グラフをモニタ５１に表示する（Ｓ５５０）。
【００６２】
その後、表示切換に関する指令がなされたら（Ｓ５６０：ＹＥＳ）、期間変更の指令であるか否かを判定する（Ｓ５７０）。期間変更の指令である場合は（Ｓ５７０：ＹＥＳ）、Ｓ５１０へ戻り、変更された期間についての履歴グラフ表示を実行する。
【００６３】
一方、期間変更ではない場合は（Ｓ５７０：ＮＯ）、当日グラフ表示へと復帰する（Ｓ５８０）。
【００６４】
図１１にモニタ表示制御（履歴）によって実行される履歴グラフＧＲＦ０３の表示例を示す。この履歴グラフＧＲＦ０３によれば、２０１６年３月２４日の状態では培地重量はそれほど問題なく、養液栽培用培地１２には十分な水分が保持されているが、その後の潅水条件の設定が適切でなかったため、２０１６年３月２９日の午前０時には最低水分量まで培地重量が減少してしまっている。そこで、３月２９日以降については１日の潅水量を増加させる様に潅水制御盤６０の設定を変更した結果、３月３０日には再び適切な潅水状態へと復帰させることができている。
【００６５】
本実施例によれば、栽培ベンチ１１に載置された多数の養液栽培用培地１２には同一の潅水条件に従った潅水が実行される。また、植物が誘引された後は、各養液栽培用培地１２の重量変化は、培地が保持している水分量の変化に対応したものとなる。この結果、一部の養液栽培用培地について測定した重量は、栽培ベンチに載置された多数の養液栽培用培地の潅水状態に対応したものとなるから、モニタ５１に表示したグラフＧＲＦに表れる培地重量の時間変化は、各養液栽培用培地の保持している水分量の変化を的確に表したものとなる。この水分量の変化は、潅水制御装置１０に設定した潅水条件を反映したものとなっている。潅水によって累積する給液量の全体量と潅水実行間隔が適切に設定されていれば、潅水開始後速やかに養液栽培用培地の重量は目標としている水分量に到達し、その後当該水分量を維持した状態のグラフＧＲＦ０２となる。一方、潅水条件の設定が不適切である場合には、養液栽培用培地の重量が所望の重量になかなか到達できなかったり、あるいは、大幅に不足するといった様子がグラフＧＲＦ０１に表れる。給液量累積値の変化があわせて表示される結果、培地重量が意図した状態になっていない場合は、潅水条件（潅水開始時刻、潅水実行間隔、１回の給液量の設定、潅水実行回数、潅水終了時刻など）の設定のどこに問題があるかを視覚的に把握することができる。この結果、本実施例の潅水モニタリングシステムによれば、最適な潅水条件の設定へと潅水制御装置側の設定を変更する際に有効な情報を与えることができる。
【００６６】
また、培地重量測定装置２０は、栽培ハウス１の端の様に換気などの影響を受け易い位置ではない位置ではなく設置位置が中央付近に隣り合って設置された２個の養液栽培用培地について載置部２２の両端に設置したロードセル３０，３０による測定結果を和算器３５を介して出力する様にしているから、正確な培地重量を測定することができる。
【００６７】
さらに、培地重量測定装置２０は、載置部２２を前後に屋根状に傾斜させることで載置した養液栽培用培地が安定する。そして、養液栽培用培地から流出した排液は、排液樋２２ｅ、排液パイプ２５を経由して栽培ベンチ１１の樋１７へと導かれ、排液が周囲へこぼれるといったことがない。そして、ロードセル３０，３０を載置部２２の外側で逆Ｌ型端部壁２３ａの水平部の下側に収納する様に設置しているから、重量測定対象となる養液栽培用培地を他の養液栽培用培地よりも極端に高く持ち上げてしまうことがなく、安定性を損なわない。
【００６８】
加えて、当日の潅水状態だけでなく、前日以前の過去の潅水状態を履歴グラフＧＲＦ０３としてモニタ５１に表示することができるから、潅水条件の設定の適否の判断や不適切な場合の原因究明に役立つ情報を農場経営者等に与えることができる。そして、これらグラフＧＲＦ０１等においては、日射量や室温の変化もあわせて表示することができるから、培地重量の変化に問題がある場合の原因が潅水条件の設定が不適切なことによるものであるのか、その日の天候異常によるものであるのかを判断するのに適切な情報を与えることができる。
【００６９】
この様に、本実施例の潅水モニタリングシステムを用いれば、養液栽培用培地を用いた固形培地耕を採用した圃場における潅水状態を的確に把握することができる。
【００７０】
以上、本発明の実施例を説明したが、本発明は実施例に限られるものではなく、その要旨を逸脱しない範囲内においてさらに種々の形態を採用することができることはもちろんである。
【００７１】
例えば、排液カウンタを備えるシステムにあっては、潅水制御盤の潅水設定条件に加えて、排液量の変化もグラフ表示する様にしてもよい。また、グラフ表示は培地重量の変化状態のみであってもよい。さらに、実施例では発泡スチロール製の栽培台１１ａを用いて栽培ベンチ１１を構成しているが、金属製のハンギングガターなどを用いても構わない。加えて、モニタ表示に加えて、パーソナルコンピュータ５０に対して、「培地重量が所定の下限値を下回ったか否かを判定し、下回っている場合は、モニタ５１にアラームメッセージを表示するプログラム」をもインストールしておいてもよい。また、実施例では潅水を実行する潅水制御盤６０と、モニタリングを行うパーソナルコンピュータ５０とを別の機器で構成したが、パーソナルコンピュータを統合環境制御コンピュータとして構成して潅水制御のための各種指令を出力させる様にしてもよいし、逆に、潅水制御盤側に培地重量測定結果等を入力して本発明の潅水モニタリングシステムの中心機器としてもよい。
【産業上の利用可能性】
【００７２】
温室における作物の水耕栽培に利用することができる。
【符号の説明】
【００７３】
１・・・栽培ハウス、２・・・管理棟、３・・・水路、５・・・誘引ワイヤ、７・・・ポット、１０・・・潅水制御装置、１１・・・栽培ベンチ、１１ａ・・・載置台、１１ｂ・・・支柱、１１ｃ・・・横桁、１１ｄ・・・支持パイプ、１２・・・養液栽培用培地、１３・・・給液用配管、１３ａ・・・潅水チューブ、１４・・・排液用配管、１５・・・給液タンク、１７・・・樋、１８・・・凹入部、２０・・・培地重量測定装置、２１・・・ベース枠、２１ａ・・・ベースパイプ、２１ｂ・・・アングル部材、２１ｃ・・・端部下壁、２１ｄ・・・スペーサ、２２・・・載置部、２２ａ・・・傾斜部、２２ｂ・・・垂直部、２２ｃ・・・水平部、２２ｄ・・・外側垂直部、２２ｅ・・・排液樋、２３・・・ロードセル収納部、２３ａ・・・逆Ｌ型端部壁、２３ｂ・・・ロードセル下固定用スペーサ、２３ｃ・・・ロードセル上固定用スペーサ、２５・・・排液パイプ、２７・・・ロードセルカバー、３０・・・ロードセル、３５・・・和算器、３７・・・アンプ出力器、４１・・・日射センサ、４２・・・温度センサ、５０・・・パーソナルコンピュータ、５１・・・モニタ、５２・・・キーボード、５３・・・マウス、６０・・・潅水制御盤、６１・・・計時部、６２・・・記憶部、６３・・・モニタ、６４・・・入出力部、７０・・・給液ユニット、ＧＲＦ，ＧＦＲ０１，ＧＲＦ０２・・・グラフ、ＧＲＦ０３・・・履歴グラフ。
【図１】
2018014902.tif 000003
【図２】
2018014902.tif 000004
【図３】
2018014902.tif 000005
【図４】
2018014902.tif 000006
【図５】
2018014902.tif 000007
【図６】
2018014902.tif 000008
【図７】
2018014902.tif 000009
【図８】
2018014902.tif 000010
【図９】
2018014902.tif 000011
【図１０】
2018014902.tif 000012
【図１１】
2018014902.tif 000013
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
栽培ハウス内に設置した栽培ベンチに載置した多数の養液栽培用培地を用いた固形培地耕の実施に当たって、潅水制御装置に設定した潅水条件に基づいて潅水を実行する圃場における潅水状態をモニタリングするためのシステムであって、以下の構成を備えていることを特徴とする潅水モニタリングシステム。
（１Ａ）前記栽培ベンチに載置された多数の養液栽培用培地のそれぞれに対して、当該栽培ベンチに沿って配置した給液用配管から分岐させた潅水チューブを同一本数用いて潅水を実行する様に構成されていること。
（１Ｂ）前記圃場は、前記養液栽培用培地に植えた植物を誘引栽培によって栽培する圃場として構成されていること。
（１Ｃ）前記多数の養液栽培用培地の内の一部の養液栽培用培地と前記栽培ベンチとの間に培地重量測定装置を設置し、該培地重量測定装置によって測定した培地重量を時刻情報と共に記憶する培地重量記憶手段を備えていること。
（１Ｄ）前記培地重量記憶手段によって時刻情報と共に記憶した培地重量の変化を表したグラフを生成してモニタに表示するグラフ表示手段を備えていること。
（１Ｅ）前記グラフ表示手段は、前記培地重量の変化を時系列に沿ってグラフ表示する際に、前記潅水制御装置に設定された潅水条件による給液量累積値の変化をもあわせて表示する手段として構成されていること。
（３）前記培地重量測定装置は、前記圃場内においてモニタリング対象となる多数の養液栽培用培地の内で設置位置が中央付近に隣り合って設置された複数個の養液栽培用培地を載置する載置部と、該載置部の両端に設置された複数のロードセルとを備え、該複数のロードセルによる測定結果から培地重量を算出するための情報を生成する手段として構成されていること。
（４Ａ）前記培地重量測定装置は、ベース枠と、該ベース枠の上方に養液栽培用培地の載置面を構成する様に支持される載置部とを備えていること。
（１１Ａ）前記載置部は、長手方向の中心部から離れる方向に向かって下り傾斜となる屋根状の傾斜部と、該傾斜部の下端から垂直に伸びる垂直部と、該垂直部の下端から外に向かって広がる水平部と、該水平部の端部から上方へ立ち上げられた外側垂直部とを備え、前記垂直部、水平部、及び外側垂直部によって形成される排液樋を前記載置部の全長にわたって備えていること。
（１１Ｂ）前記載置部の両端に外に張り出す様に形成された上側水平部と、前記ベース枠との間に、前記ロードセルを下面一方の端を前記ベース枠に対して固定し、上面他方の端を前記上側水平部に対して固定したこと。
【請求項２】
さらに、以下の構成をも備えたことを特徴とする請求項１に記載の潅水モニタリングシステム。
（５Ａ）前記培地重量記憶手段を、過去の履歴をも記憶しておくことができる手段として構成すること。
（５Ｂ）前記グラフ表示手段が、履歴表示の指令を受け付ける履歴表示指令受付手段と、該履歴表示指令受付手段が履歴表示の指令を受け付けた場合は、前記培地重量記憶手段が記憶している過去の履歴に基づいて複数の日にわたる履歴グラフを生成して前記モニタに表示する履歴グラフ表示手段とを備えていること。
【請求項３】
さらに、以下の構成をも備えたことを特徴とする請求項１又は２に記載の潅水モニタリングシステム。
（６）日射センサを備え、該日射センサによって測定した日射量を時刻情報と共に記憶する日射量記憶手段を備えると共に、前記グラフ表示手段が、前記培地重量の変化を時系列に沿ってグラフ表示する際に、前記日射量記憶手段に時刻情報と共に記憶した日射量の変化をもあわせて表示する手段として構成されていること。
【請求項４】
さらに、以下の構成をも備えたことを特徴とする請求項１〜３のいずれかに記載の潅水モニタリングシステム。
（７）温度センサを備え、該温度センサによって測定した室温を時刻情報と共に記憶する室温記憶手段を備えると共に、前記グラフ表示手段が、前記培地重量の変化を時系列に沿ってグラフ表示する際に、前記室温記憶手段に時刻情報と共に記憶した室温の変化をもあわせて表示する手段として構成されていること。
【手続補正３】
【補正対象書類名】明細書
【補正対象項目名】０００７
【補正方法】変更
【補正の内容】
【０００７】
そこで、本発明は、養液栽培用培地栽培法を採用した圃場における潅水状態を的確に把握することのできる潅水モニタリングシステムを提供することを目的とする。
【手続補正４】
【補正対象書類名】明細書
【補正対象項目名】０００８
【補正方法】変更
【補正の内容】
【０００８】
上記目的を達成するためになされた本発明の潅水モニタリングシステムは、栽培ハウス内に設置した栽培ベンチに載置した多数の養液栽培用培地を用いた固形培地耕の実施に当たって、潅水制御装置に設定した潅水条件に基づいて潅水を実行する圃場における潅水状態をモニタリングするためのシステムであって、以下の構成を備えていることを特徴とする。
（１Ａ）前記栽培ベンチに載置された多数の養液栽培用培地のそれぞれに対して、当該栽培ベンチに沿って配置した給液用配管から分岐させた潅水チューブを同一本数用いて潅水を実行する様に構成されていること。
（１Ｂ）前記圃場は、前記養液栽培用培地に植えた植物を誘引栽培によって栽培する圃場として構成されていること。
（１Ｃ）前記多数の養液栽培用培地の内の一部の養液栽培用培地と前記栽培ベンチとの間に培地重量測定装置を設置し、該培地重量測定装置によって測定した培地重量を時刻情報と共に記憶する培地重量記憶手段を備えていること。
（１Ｄ）前記培地重量記憶手段によって時刻情報と共に記憶した培地重量の変化を表したグラフを生成してモニタに表示するグラフ表示手段を備えていること。
（１Ｅ）前記グラフ表示手段は、前記培地重量の変化を時系列に沿ってグラフ表示する際に、前記潅水制御装置に設定された潅水条件による給液量累積値の変化をもあわせて表示する手段として構成されていること。
（３）前記培地重量測定装置は、前記圃場内においてモニタリング対象となる多数の養液栽培用培地の内で設置位置が中央付近に隣り合って設置された複数個の養液栽培用培地を載置する載置部と、該載置部の両端に設置された複数のロードセルとを備え、該複数のロードセルによる測定結果から培地重量を算出するための情報を生成する手段として構成されていること。
（４Ａ）前記培地重量測定装置は、ベース枠と、該ベース枠の上方に養液栽培用培地の載置面を構成する様に支持される載置部とを備えていること。
（１１Ａ）前記載置部は、長手方向の中心部から離れる方向に向かって下り傾斜となる屋根状の傾斜部と、該傾斜部の下端から垂直に伸びる垂直部と、該垂直部の下端から外に向かって広がる水平部と、該水平部の端部から上方へ立ち上げられた外側垂直部とを備え、前記垂直部、水平部、及び外側垂直部によって形成される排液樋を前記載置部の全長にわたって備えていること。
（１１Ｂ）前記載置部の両端に外に張り出す様に形成された上側水平部と、前記ベース枠との間に、前記ロードセルを下面一方の端を前記ベース枠に対して固定し、上面他方の端を前記上側水平部に対して固定したこと。
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００２０
【補正方法】削除
【補正の内容】